(57)【要約】【課題】  本願発明は、テントの間口が変わっても、容易に対応でき、尚且つ費用を抑えた骨組構造体を提供する。  【解決手段】  テントＴの骨組構造体１００であって、テントＴを設置する設置面Ｇに、相対するように載置される支柱部材３００と、相対する両側の支柱部材３００間に空間を有する門形状を構成するように、支柱部材３００間に掛け渡される梁部材４００と、を備え、梁部材４００は、両側の支柱部材３００にそれぞれ取り外し可能に連結される支柱側梁部材５００と、支柱側梁部材５００に取り外し可能に連結される可変梁部材６００と、両側の可変梁部材６００を取り外し可能に連結する中間梁部材７００とを備え、可変梁部材６００は、テントＴの間口の大きさに応じて全長が異なる他の可変梁部材６００’に交換可能に構成されていることを特徴とする。【選択図】図２
2020125645.tif 000002
【特許請求の範囲】
【請求項１】
テントの骨組構造体であって、
前記テントを設置する設置面に、相対するように載置される支柱部材と、
相対する両側の前記支柱部材間に空間を有する門形状を構成するように、前記支柱部材間に掛け渡される梁部材と、を備え、
当該梁部材は、両側の前記支柱部材にそれぞれ取り外し可能に連結される支柱側梁部材と、当該支柱側梁部材に取り外し可能に連結される可変梁部材と、両側の前記可変梁部材を取り外し可能に連結する中間梁部材とを備え、
前記可変梁部材は、前記テントの間口の大きさに応じて全長が異なる他の可変梁部材に交換可能に構成されていることを特徴とする骨組構造体。
【請求項２】
前記支柱側梁部材と前記中間梁部材は、前記可変梁部材を介さずに、取り外し可能に直接連結できることを特徴とする請求項１に記載の骨組構造体。
【請求項３】
前記可変梁部材と前記中間梁部材との連結は、前記可変梁部材の端部と前記中間梁部材の端部とを付き合わせて、両方の端部を跨ぐように連結板を外側から宛がい、前記各端部と前記連結板とを固定することで成されることを特徴とする請求項１又は２に記載の骨組構造体。
【請求項４】
前記可変梁部材と前記支柱側梁部材との連結は、前記可変梁部材の端部と前記支柱側梁部材の端部とを付き合わせて、両方の端部を跨ぐように連結板を外側から宛がい、前記各端部と前記連結板とを固定することで成されることを特徴とする請求項１から３のいずれかに記載の骨組構造体。
【請求項５】
前記骨組構造体の外側を覆うようにテント膜が張られた際に、前記テント膜が当接する前記支柱側梁部材の当接部の曲率と、前記テント膜が当接する前記中間梁部材の当接部の曲率とが等しいことを特徴とする請求項１から４のいずれかに記載の骨組構造体。
【発明の詳細な説明】
【技術分野】
【０００１】
本願発明は、テントの骨組構造体に関する。
【背景技術】
【０００２】
従来から、屋外等においてテントを設置する際は、テントの設置場所に骨組構造体をまず設置している。この骨組構造体は様々な種類が知られているが、基本構成は同じであり、例えば特許文献１に骨組構造体は、テントを設置する設置面に載置される支柱部材と、当該支柱部材の間に、空間を有する門形状を構成するように掛け渡される梁部材とを備えている。そして、骨組構造体の外側を覆うようにテント膜が張られて、テントは使用されている。
【０００３】
また、テントの大きさ、特にテントの間口の大きさに応じて、骨組構造体の形状を設計し直すことで、様々な用途や大きさのテントが製造できるようになっている。しかしながら、テントの間口が変わる度に、骨組構造体の形状を設計し直していると、それだけ時間と費用がかかるという問題があった。
【先行技術文献】
【特許文献】
【０００４】
【特許文献１】特許第６０５３８９８
【発明の概要】
【発明が解決しようとする課題】
【０００５】
そこで、本願発明は、テントの間口が変わっても、容易に対応でき、尚且つ費用を抑えた骨組構造体を提供する。
【課題を解決するための手段】
【０００６】
上記課題を解決するために、本願発明の骨組構造体は、前記テントを設置する設置面に、相対するように載置される支柱部材と、相対する両側の前記支柱部材間に空間を有する門形状を構成するように、前記支柱部材間に掛け渡される梁部材と、を備え、当該梁部材は、両側の前記支柱部材にそれぞれ取り外し可能に連結される支柱側梁部材と、当該支柱側梁部材に取り外し可能に連結される可変梁部材と、両側の前記可変梁部材を取り外し可能に連結する中間梁部材とを備え、前記可変梁部材は、前記テントの間口の大きさに応じて全長が異なる他の可変梁部材に交換可能に構成されていることを特徴とする。
【０００７】
上記特徴によれば、テントの間口を変更したい場合は、可変梁部材だけを全長が異なる可変梁部材に交換することで、容易に対応することができる。さらに、可変梁部材のみを交換するだけで、可変梁部材以外の構成要素（支柱部材、支柱側梁部材、中間梁部材）は変更する必要が無く、そのまま利用できるため、コストを抑えられる。
【０００８】
さらに、本願発明の骨組構造体は、前記支柱側梁部材と前記中間梁部材は、前記可変梁部材を介さずに、取り外し可能に直接連結できることを特徴とする。
【０００９】
上記特徴によれば、可変梁部材を取り外して、支柱側梁部材と中間梁部材を直接連結して固定できるので、テントの間口を更に狭く変更したい場合に容易に対応できる。
【００１０】
さらに、本願発明の骨組構造体は、前記可変梁部材と前記中間梁部材との連結は、前記可変梁部材の端部と前記中間梁部材の端部とを付き合わせて、両方の端部を跨ぐように連結板を外側から宛がい、前記各端部と前記連結板とを固定することで成されることを特徴とする。
【００１１】
上記特徴によれば、可変梁部材と中間梁部材との連結が非常に容易となり、特に、両方の端部を跨ぐように連結板を外側から宛がい固定する方法なので、可変梁部材の取り外し及び取付けが容易となる。
【００１２】
さらに、本願発明の骨組構造体は、前記可変梁部材と前記支柱側梁部材との連結は、前記可変梁部材の端部と前記支柱側梁部材の端部とを付き合わせて、両方の端部を跨ぐように連結板を外側から宛がい、前記各端部と前記連結板とを固定することで成されることを特徴とする。
【００１３】
上記特徴によれば、支柱側梁部材と可変梁部材との連結が非常に容易となり、特に、両方の端部を跨ぐように連結板を外側から宛がい固定する方法なので、可変梁部材の取り外し及び取付けが容易となる。
【００１４】
さらに、本願発明の骨組構造体は、前記骨組構造体の外側を覆うようにテント膜が張られた際に、前記テント膜が当接する前記支柱側梁部材の当接部の曲率と、前記テント膜が当接する前記中間梁部材の当接部の曲率とが等しいことを特徴とする。
【００１５】
上記特徴によれば、骨組構造体の外側にテント膜を張った際に、各当接部に接触するテント膜の引張力が略均一になるため、テント膜全体にかかる引張力が均一に分散されて、テント膜の耐久性が上がるのである。
【発明の効果】
【００１６】
本願発明の骨組構造体は、テントの間口が変わっても、容易に対応でき、尚且つ費用を抑えることができる。
【図面の簡単な説明】
【００１７】
【図１】（ａ）は本願発明のテントの全体斜視図、（ｂ）はテント内部の本願発明の骨組構造体を示す側面図である。
【図２】テント内部の本願発明の骨組構造体の正面図である。
【図３】本願発明の骨組構造体の分解正面図である。
【図４】（ａ）は、本願発明の可変梁部材を支柱側梁部材及び中間梁部材に連結固定する様子を示した斜視図、（ｂ）は、図２における可変梁部材周辺の拡大正面図である。
【図５】（ａ）及び（ｂ）は、本願発明の骨組構造体の間口の長さを変えた状態の正面図である。
【符号の説明】
【００１８】
１００        骨組構造体
３００        支柱部材
４００        梁部材
５００        支柱側梁部材
６００        可変梁部材
６００’      可変梁部材
７００        中間梁部材
Ｇ            設置面
Ｔ            テント
【発明を実施するための形態】
【００１９】
以下に、本願発明の実施形態について、図面を用いて説明する。なお、本明細書において、「上方」とは、骨組構造体を水平面上に設置した際に、鉛直方向における上方に向かう方向のことであり、「下方」とは鉛直方向における下方に向かう方向のことである。
【００２０】
まず、図１には、本願発明の骨組構造体１００を複数用いて組み立てられたテントＴを示す。なお、図１（ａ）はテントＴの全体斜視図、図１（ｂ）はテントＴ内部の骨組構造体１００を示す側面図、図２はテントＴ内部の骨組構造体１００の正面図、図３は骨組構造体１００の分解正面図である。なお、骨組構造体１００は、２つの支柱部材３００と、２つの支柱側梁部材５００と、２つの可変梁部材６００と、１つの中間梁部材７００で構成されているが、図３では、支柱部材３００と支柱側梁部材５００と可変梁部材６００のそれぞれを１つのみ示している。
【００２１】
図１（ａ）に示すように、テントＴは切妻屋根を備えた態様をしており、正面側が間口Ｍとなっている。このテントＴは、図１（ｂ）に示すように、テントＴを設置する設置面Ｇの上に、複数の骨組構造体１００を平行に並べ、各骨組構造体１００同士を互いにつなぎ部材２００によって連結固定して組み立てられている。そして、組み立てられた骨組構造体１００の外側を覆うようにしてテント膜Ｓを張ることで、図１（ａ）に示すテントＴが完成するのである。
【００２２】
また、図２に示すように、骨組構造体１００は、設置面Ｇに載置される両側の支柱部材３００と、この相対する支柱部材３００に空間を有する門形状を構成するように、支柱部材３００間に掛け渡される梁部材４００とを備える。さらに、この梁部材４００は、両側の支柱部材３００にそれぞれ連結される支柱側梁部材５００と、当該支柱側梁部材５００に連結される可変梁部材６００と、両側の可変梁部材６００を互いに連結する中間梁部材７００とを備える。これら支柱部材３００、支柱側梁部材５００、可変梁部材６００、及び中間梁部材７００は、図３に示すように、互いに取り外して分解することができる。
【００２３】
具体的には、図２及び図３に示すように、支柱部材３００は、金属製のパイプによるトラス構造を備えた直線状に延びる部材であり、基端３１０側が設置面Ｇの基礎部分Ｚ上に設置され、先端３２０側が支柱側梁部材５００の基端５１０側に取り外し可能に連結される。この先端３２０には、後述する連結板８００を固定できるように、貫通孔３３１を備えた平坦な連結面３３０が設けられている。また、支柱側梁部材５００は、金属製のパイプによるトラス構造を備えた部材であり、基端５１０側が支柱部材３００の先端３２０側に取り外し可能に連結され、先端５２０側が可変梁部材６００の基端６１０側に取り外し可能に連結される。基端５１０には、後述する連結板８００を固定できるように、貫通孔５３１を備えた平坦な連結面５３０が設けられ、同様に、先端５２０には、後述する連結板８００を固定できるように、貫通孔５４１を備えた平坦な連結面５４０が設けられている。また、支柱側梁部材５００は、短尺部５０１と、当該短尺部５０１よりも全長が長い長尺部５０２とを備えた、正面視略Ｌ字形状をしている。さらに、基端５１０側の外側には、湾曲した形状の当接部５５０が設けられており、骨組構造体１００の外側にテントＴを張った際に、テントＴが当接部５５０に当接するようになっている。この当接部５５０の曲率は、後述する中間梁部材７００の当接部７５０の曲率と等しく、当接部５５０及び当接部７５０の曲率半径は６００ｍｍ（ミリメートル）となっている。
【００２４】
また、可変梁部材６００は、金属製のパイプによるトラス構造を備えた直線状に延びる部材であり、基端６１０側が支柱側梁部材５００の先端５２０側に取り外し可能に連結され、先端６２０側が中間梁部材７００の端部７１０側に取り外し可能に連結される。基端６１０には、後述する連結板８００を固定できるように、貫通孔６３１を備えた平坦な連結面６３０が設けられ、同様に、先端６２０には、後述する連結板８００を固定できるように、貫通孔６４１を備えた平坦な連結面６４０が設けられている。
【００２５】
また、図３に示すように、中間梁部材７００は、金属製のパイプによるトラス構造を備えた部材であり、一方（図面上、左側）の端部７１０側が一方の可変梁部材６００の先端６２０側に取り外し可能に連結され、他方（図面上、右側）の端部７２０側が他方の可変梁部材６００の先端６２０側に取り外し可能に連結される。端部７１０には、後述する連結板８００を固定できるように、貫通孔７３１を備えた平坦な連結面７３０が設けられ、同様に、端部７２０には、後述する連結板８００を固定できるように、貫通孔７４１を備えた平坦な連結面７４０が設けられている。また、中間梁部材７００は、中央の当接部７５０が外側に湾曲した形状をしており、骨組構造体１００の外側にテントＴを張った際に、テントＴが当接部７５０に当接するようになっている。
【００２６】
そして、図２及び図３に示すように、支柱部材３００と支柱側梁部材５００は、支柱部材３００の連結面３３０と支柱側梁部材５００の連結面５３０とを、薄板状の金属製の連結板８００によって固定することで連結されている。同様に、支柱側梁部材５００と可変梁部材６００は、支柱側梁部材５００の連結面５４０と可変梁部材６００の連結面６３０とを連結板８００によって固定することで連結されている。さらに、可変梁部材６００と中間梁部材７００は、一方（図面上、左側）の可変梁部材６００の連結面６４０と中間梁部材７００の連結面７３０を連結板８００によって固定し、他方（図面上、右側）の可変梁部材６００の連結面６４０と中間梁部材７００の連結面７４０を連結板８００によって固定して連結している。このようにして、骨組構造体１００は組み立てられて、正面視で門形状を構成しているのである。
【００２７】
なお、図１及び図２に示すように、組み立てられた複数の骨組構造体１００は互いにつなぎ部材２００によって連結されている。このつなぎ部材２００は、テントＴの強度を確保するために設けるもので、所定間隔（約１６５０ｍｍ）で設けている。具体的には、図２に示すように、支柱部材３００では所定間隔をあけて二箇所につなぎ部材２００が設けられ、支柱側梁部材５００では所定間隔をあけて三箇所につなぎ部材２００が設けられ、可変梁部材６００には一箇所につなぎ部材２００が設けられている。そして、互いのつなぎ部材２００同士を所定間隔で配置することで、テントＴ全体の強度を確保しているのである。また、梁部材４００の強度向上や、梁部材４００の内側に各種備品等を取り付けるために、梁部材４００の内側には間柱４１０が組まれている。
【００２８】
ここで、連結板８００による連結固定について、図４を参照してより具体的に説明する。なお、図４（ａ）は、可変梁部材６００を支柱側梁部材５００及び中間梁部材７００に連結固定する様子を示した斜視図、図４（ｂ）は、図２における可変梁部材６００付近の拡大正面図である。
【００２９】
図４（ａ）に示すように、可変梁部材６００と中間梁部材７００を水平面に寝かした状態で置き、可変梁部材６００の先端６２０の端部と中間梁部材７００の端部７１０とを付き合わせる。すると、中間梁部材７００の連結面７３０と可変梁部材６００の連結面６４０が連続した平坦面となる。そして、この連続した連結面６４０と連結面７３０の表面と裏面のそれぞれに、連結板８００を外側から宛がう。連結板８００には複数の貫通孔８０１が設けられており、各貫通孔８０１は連結面６４０の各貫通孔６４１と連結面７３０の各貫通孔７３１と重なるようになっている。そして、一方（図面上、上側）の連結板８００の貫通孔８０１と貫通孔６４１と、他方（図面上、下側）の連結板８００の貫通孔８０１を挿通するようにボルト８０２を取付け、ボルト８０２の先端をナット８０３で固定する。同様に、一方（図面上、上側）の連結板８００の貫通孔８０１と貫通孔７３１と、他方（図面上、下側）の連結板８００の貫通孔８０１を挿通するようにボルト８０２を取付け、ボルト８０２の先端をナット８０３で固定する。すると、可変梁部材６００の先端６２０の端部と中間梁部材７００の端部７１０を跨ぐように宛がわれた連結板８００は、各端部に固定され、その結果、可変梁部材６００と中間梁部材７００は連結板８００によって互いに強固に連結固定されることになる。
【００３０】
同様に、図４（ａ）に示すように、可変梁部材６００と支柱側梁部材５００を水平面に寝かした状態で置き、可変梁部材６００の基端６１０の端部と支柱側梁部材５００の先端５２０の端部とを付き合わせる。すると、支柱側梁部材５００の連結面５４０と可変梁部材６００の連結面６３０が連続した平坦面となる。そして、この連続した連結面６３０と連結面５４０の表面と裏面のそれぞれに、連結板８００を外側から宛がう。連結板８００には複数の貫通孔８０１が設けられており、各貫通孔８０１は連結面６３０の各貫通孔６３１と連結面５４０の各貫通孔５４１と重なるようになっている。そして、一方の連結板８００の貫通孔８０１と貫通孔６３１と他方の連結板８００の貫通孔８０１を挿通するようにボルト８０２を取付け、ボルト８０２の先端をナット８０３で固定する。同様に、一方の連結板８００の貫通孔８０１と貫通孔５４１と他方の連結板８００の貫通孔８０１を挿通するようにボルト８０２を取付け、ボルト８０２の先端をナット８０３で固定する。すると、可変梁部材６００の基端６１０の端部と支柱側梁部材５００の先端５２０の端部を跨ぐように宛がわれた連結板８００は、各端部に固定され、その結果、可変梁部材６００と支柱側梁部材５００は連結板８００によって互いに強固に連結固定されることになる。
【００３１】
以上より、図４（ｂ）に示すように、可変梁部材６００は、支柱側梁部材５００と中間梁部材７００の間に、連結板８００によって連結固定されるのである。なお、中間梁部材７００の連結面７４０と支柱側梁部材５００の先端５２０との間の連結固定も、図４（ａ）で説明した方法と同じ方法によって行われる。
【００３２】
また、支柱部材３００の先端３２０と支柱側梁部材５００の基端５１０との間の連結固定も、図４（ａ）で説明した方法と同じ方法によって行われる。不図示であるが、具体的には、支柱部材３００の先端３２０の端部と支柱側梁部材５００の基端５１０の端部とを付き合わせ、連続した連結面３３０と連結面５３０の表面と裏面のそれぞれに、連結板８００を外側から宛がい、ボルト８０２とナット８０３によって連結板８００を各端部に固定する。すると、支柱部材３００と支柱側梁部材５００は連結板８００によって互いに強固に連結固定されることになる。そして、支柱部材３００、支柱側梁部材５００、可変梁部材６００、及び中間梁部材７００のそれぞれを、連結板８００によって互いに連結固定することで、図２に示す門形状の骨組構造体１００が組み立てられるのである。なお、テントＴが不要になった際は、ボルト８０２とナット８０３を外して連結板８００による連結を解除し、支柱部材３００、支柱側梁部材５００、可変梁部材６００、及び中間梁部材７００を分解して、保管しておく。また、支柱部材３００、支柱側梁部材５００、可変梁部材６００、及び中間梁部材７００のそれぞれの全長は５ｍ（メートル）以内とすることで、トラック等に容易に積み重ねて運搬することができる。また、支柱部材３００、支柱側梁部材５００、可変梁部材６００、及び中間梁部材７００のそれぞれは、図１（ｂ）や図４（ｂ）に示すように、厚さが薄く平坦状に形成されているので、保管時に段積みがし易い。
【００３３】
なお、連結板８００、ボルト８０２及びナット８０３を用いて各部材を連結しているが、これに限定されず、各部材が取り外し可能に連結できるのであれば、その他の連結固定の方法を採用してもよい。ただ、図２に示すように、骨組構造体１００の間口を正面視した際に、連結板８００が正面側に平行に面するように、各部材の前後面に連結板８００を取り付けると、連結固定した各部分は更に補強される。具体的には、図１（ｂ）に示すように、テントＴが奥行き方向（前後方向）に延びるように、複数の骨組構造体１００は互いに連結されているので、骨組構造体１００の各部材の連結箇所には、テントＴの張力や外力等によって奥行き方向への負荷がかかる。そのため、各部材の前後面に、間口の正面側に平行に面するように連結板８００を取り付けると、連結固定した各部分は更に補強されるのである。
【００３４】
ここで、図２に示す骨組構造体１００は、間口Ｌ１が１２．５ｍ（メートル）となるように構成されている。ただし、仕様や顧客の要望により間口を狭くしたい場合がある。その場合は、図５（ａ）に示すように、可変梁部材６００を取り外して、中間梁部材７００と支柱側梁部材５００とを直接連結することで、間口を狭くすることが出来るのである。これにより、図５（ａ）に示す骨組構造体１００は、間口Ｌ２が１０ｍ（メートル）となっている。なお、図５（ａ）及び（ｂ）は、本願発明の骨組構造体１００の間口の長さを変えた状態の正面図である。
【００３５】
なお、図４を参照して上述したように、可変梁部材６００と支柱側梁部材５００との連結固定と、可変梁部材６００と中間梁部材７００との連結固定は、共通する部品の連結板８００によって行うことができるように構成されている。そのため、図５（ａ）に示すように、可変梁部材６００を取り外して、中間梁部材７００と支柱側梁部材５００とを直接連結する際にも、連結板８００をそのまま利用することができる。具体的には、可変梁部材６００を取り外し、支柱側梁部材５００の先端５２０の端部と中間梁部材７００の端部７１０とを付き合わせる。すると、中間梁部材７００の連結面７３０と支柱側梁部材５００の連結面５４０が連続した平坦面となる。そして、この連続した連結面５４０と連結面７３０の表面と裏面のそれぞれに、連結板８００を外側から宛がう。次に、支柱側梁部材５００の先端５２０の端部と中間梁部材７００の端部７１０を跨ぐように宛がわれた連結板８００を、各端部にボルト８０２とナット８０３とで固定すれば、支柱側梁部材５００と中間梁部材７００は連結板８００によって互いに強固に連結固定されることになる。
【００３６】
さらに、仕様や顧客の要望により間口を広くしたい場合がある。その場合は、図５（ｂ）に示すように、全長が長い可変梁部材６００’に取り替えることで、間口Ｌ３を広くすることが出来るのである。図５（ｂ）に示す骨組構造体１００は、間口Ｌ３が１５ｍ（メートル）となっている。この可変梁部材６００’は、全長Ｌ４が可変梁部材６００の全長Ｌ５より長い点で異なるだけで、その他の構成は、可変梁部材６００と同じである。そのため、可変梁部材６００の代わりに可変梁部材６００’を、支柱側梁部材５００と中間梁部材７００の間に連結固定する際は、図４（ａ）で説明した、連結板８００を用いて可変梁部材６００を支柱側梁部材５００と中間梁部材７００の間に連結固定する方法と同じ方法を用いることができる。
【００３７】
具体的には、不図示であるが、中間梁部材７００の端部７１０と端部７２０のそれぞれに、可変梁部材６００’の先端の端部を付き合わせ、そして、各端部を跨ぐように連結板８００を外側から宛がい、ボルト８０２とナット８０３によって連結板８００を各端部に固定する。すると、可変梁部材６００’と中間梁部材７００は連結板８００によって互いに強固に連結固定されることになる。このようにして、可変梁部材６００を、全長が異なる可変梁部材６００’に容易に交換することができる。また、可変梁部材６００以外の構成要素（すなわち、支柱部材３００、支柱側梁部材５００、中間梁部材７００、連結板８００）は変更する必要がなく、間口を変更してもそのまま利用できる。なお、可変梁部材６００’は、可変梁部材６００よりも全長が長いが、これに限定されず、可変梁部材６００よりも全長が短くてもよく、可変梁部材６００’の全長は任意の長さにしてもよい。また、可変梁部材６００’の全長は、数ｍｍ単位で自由に設定してもよい。
【００３８】
このように、本願発明の骨組構造体１００によれば、図５（ｂ）に示すように、テントＴの間口を変更したい場合は、可変梁部材６００だけを全長が異なる可変梁部材６００’に交換することで、容易に対応することができるのである。さらに、可変梁部材６００のみを交換するだけで、可変梁部材６００以外の構成要素（支柱部材３００、支柱側梁部材５００、中間梁部材７００、連結板８００）は変更する必要が無く、そのまま利用できる。つまり、間口が異なる数種類のテントＴにおいて、可変梁部材６００以外の構成要素（支柱部材３００、支柱側梁部材５００、中間梁部材７００、連結板８００）は規格化された共通部品であるから、間口の大きさが変更されても、骨組構造体１００の製造コストを抑えることができるのである。
【００３９】
また、各構成要素（支柱部材３００、支柱側梁部材５００、中間梁部材７００、連結板８００）は規格化された共通部品なので、構成要素の一部に劣化や損傷が生じても、当該構成要素のみを交換すればよく、メンテナンス性が良好で、コストも抑えることが出来る。また、複数の顧客の要望に応じて間口を変更する際は、可変梁部材６００を変更するだけで対応することができると共に、各構成要素を繰り返し利用できるので、例えば、短期間のレンタル用やリース契約用で本願発明の骨組構造体１００を貸し出す際には、コストを抑えることができる。
【００４０】
なお、本願発明の骨組構造体１００では、骨組構造体１００の設計の最適化の観点から、可変梁部材６００のみを全長が異なる可変梁部材６００’に交換可能に構成し、可変梁部材６００以外の構成要素（支柱部材３００、支柱側梁部材５００、中間梁部材７００、連結板８００）は規格化された共通部品としている。具体的には、テントＴの間口を変更する場合は、支柱側梁部材５００の全長を変更したり、中間梁部材７００の全長を変更して対応することもできる。ただ、支柱側梁部材５００は、梁部材４００の重量を支えるために高い強度を備える部分であり、多くのつなぎ部材２００が設置される部分でもある。また、支柱部材３００と連結固定するために、略Ｌ字形状の複雑な形状をしている。そのため、支柱側梁部材５００の全長を変更する場合は、支柱側梁部材５００が複雑な形状をしている上に、支柱側梁部材５００の強度確保やつなぎ部材２００の設置位置の変更等の様々な要素を考慮しなければならず、再設計が非常に面倒でコストも嵩んでしまう。一方、中間梁部材７００は、テントＴの頂部を構成する部分であると共に、両側の可変梁部材６００又は支柱側梁部材５００を接続する部分なので負荷が掛かりやすく、更に、略くの字状の複雑な形状をしている。そのため、中間梁部材７００の全長を変更する場合は、中間梁部材７００が複雑な形状をしている上に、中間梁部材７００の強度確保等の様々な要素を考慮しなければならず、再設計が非常に面倒でコストも嵩んでしまう。そこで、本願発明の骨組構造体１００では、支柱側梁部材５００と中間梁部材７００の間の可変梁部材６００のみを設計変更して、支柱側梁部材５００と中間梁部材７００は規格化して共通部品としたのである。可変梁部材６００は、支柱側梁部材５００と中間梁部材７００を繋ぐ部品であり、支柱側梁部材５００と中間梁部材７００に比べれば、設計変更も容易である。さらに、可変梁部材６００は直線状に延びる単純な形状をした部材なので、全長を変更しても、複雑な強度計算等を回避でき再設計するのも容易である。
【００４１】
さらに、本願発明の骨組構造体１００によれば、図５（ａ）に示すように、テントＴの間口を更に狭く変更したい場合に対応するため、可変梁部材６００を取り外して、支柱側梁部材５００と中間梁部材７００を直接連結して固定できるように構成している。そのため、可変梁部材６００を取り外すだけで、間口を狭く変更したテントＴを容易に組み立てることができると共に、可変梁部材６００以外の構成要素（支柱部材３００、支柱側梁部材５００、中間梁部材７００、連結板８００）は変更する必要が無く、そのまま利用できるので、骨組構造体１００の製造コストを抑えることができる。
【００４２】
さらに、本願発明の骨組構造体１００によれば、支柱側梁部材５００と可変梁部材６００との連結は、支柱側梁部材５００の端部と可変梁部材６００の端部とを付き合わせて、両方の端部を跨ぐように連結板８００を外側から宛がい、各端部と連結板８００とを固定することでなされるため、支柱側梁部材５００と可変梁部材６００との連結が非常に容易である。特に、両方の端部を跨ぐように連結板８００を外側から宛がい固定する方法なので、可変梁部材６００の取り外し及び取付けが容易となる。
【００４３】
さらに、本願発明の骨組構造体１００によれば、可変梁部材６００と中間梁部材７００との連結は、可変梁部材６００の端部と中間梁部材７００の端部とを付き合わせて、両方の端部を跨ぐように連結板８００を外側から宛がい、各端部と連結板８００とを固定することでなされるため、可変梁部材６００と中間梁部材７００との連結が非常に容易である。特に、両方の端部を跨ぐように連結板８００を外側から宛がい固定する方法なので、可変梁部材６００の取り外し及び取付けが容易となる。
【００４４】
さらに、本願発明の骨組構造体１００によれば、支柱側梁部材５００の当接部５５０の曲率と、中間梁部材７００の当接部７５０の曲率が等しくなっているので、骨組構造体１００の外側にテント膜Ｓを張った際に、当接部５５０に接触するテント膜Ｓの引張力と、当接部７５０に接触するテント膜Ｓの引張力とが略均一になり、その結果、テント膜Ｓ全体にかかる引張力が均一に分散されて、テント膜Ｓの耐久性が上がるのである。
【００４５】
なお、本願発明の骨組構造体は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2020125645.tif 000003
【図２】
2020125645.tif 000004
【図３】
2020125645.tif 000005
【図４】
2020125645.tif 000006
【図５】
2020125645.tif 000007